(57)【要約】【課題】散液を自動的に行うことで猫等を庭から追い払う撃退装置の提供。【解決手段】赤外線センサー２を用いて検知し、ポンプ３の動作を制御して、猫等の動物の動きを感知した時にのみ、嫌液Ｌを前記ポンプ３によって猫等に目掛けて散液を行う撃退装置の採用。【選択図】図1
2007037457.tif 000002
【特許請求の範囲】
【請求項１】
赤外線センサーと、
当該赤外線センサーの赤外線検出によって動作するポンプと、
当該ポンプの取液管で取液される嫌液を容れたタンクと、
前記ポンプの散液管の先端に連結設置されたスプリンクラーヘッドと、
前記赤外線センサー及び前記ポンプを作動させるための電源とで構成され、
前記赤外線センサーの検知により前記ポンプを作動させ、前記嫌液を前記スプリンクラーヘッドを通じて検知した猫等に散布する、
ことを特徴とする猫等撃退装置。
【請求項２】
前記スプリンクラーヘッドは、
フレームの背側に前記嫌液の水平方向散液角度を調節するための羽根と、
回転ノズルの散液口の上部に設置し、仰角への散水を規制し散液範囲を狭めるための羽根と、を設けた、
ことを特徴とする請求項１に記載の猫等撃退装置。
【請求項３】
前記ポンプは、
前記電源と前記嫌液を通して通電接続し、前記タンク内の前記嫌液が散液により一定量以下に減少することで当該電源と前記ポンプが電気的に切断され、前記赤外線センサーの赤外線検出によっても動作しなくなる、
ことを特徴とする請求項１又は２に記載の猫等撃退装置。
【請求項４】
前記電源は、
前記嫌液の減少を検知して前記ポンプとの電気的切断が起きた場合にランプを発光させる回路素子と接続してある、
ことを特徴とする、請求項１，２又は３に記載の猫等撃退装置。
【請求項５】
前記嫌液は、
水そのもの又は刺激物や刺激臭を含んでなる、
ことを特徴とする請求項１，２，３又は４に記載の猫等撃退装置。
【請求項６】
前記ポンプと前記タンクと前記電源は、
防水性のある容器に一体収容する、
ことを特徴とする猫等撃退装置。
【発明の詳細な説明】
【技術分野】
【０００１】
赤外線センサーを用いて猫などの小動物の直前通過を検知し、連結したポンプを用いて猫等に嫌液を通過方向周囲に散布し猫等を追い払う猫等撃退装置に関するものである。
【背景技術】
【０００２】
猫は毎日同じ場所に、特に乾いた土や砂利、芝の上などに好んでフンをする習性がある。都市部に関しては餌が豊富にある事と相俟ってか、野良猫が急増しており、一戸建て住宅の６〜８割がそのフンの害に悩まされている。殊に住宅密集地域においては、被害程度も甚だしい。公園の砂場などでもフンの害は大きく衛生上も好ましくない。その為、囲い柵を設置して入れない工夫が施されているが犬には効果があっても猫は易く乗り越えるので始末に悪い。又猫の発情期には猫の泣き声に夜も眠れない被害に悩まされている。
【０００３】
さらに、猫等には濡れた毛を舐めて乾かそうとしたり、体を舐めて害虫や細菌から身を守り常に体を清潔に保つ習性がある。
【０００４】
現在一般に、猫を寄せ付けないために様々な方法が行われており、出涸らしのコーヒー、米の研汁または市販の忌避剤を置くなどされている。しかしこれらの方法は雨によって殆ど効果がなくなってしまい、又音波による忌避装置も初めは有効であるが、時が経つにつれ学習し、慣れて殆んど効果はなく、これといった確実な方法はないようである。
【発明の開示】
【発明が解決しようとする課題】
【０００５】
本発明の主要な目的は以下の通りである。
本発明の第１の目的は嫌液の散液を自動的に行うことで猫等の獣道近隣に設置して猫等を庭から追い払う猫等撃退装置を提供することにある。
【０００６】
本発明の第２の目的は、コンパクト設計で設置場所を問わない猫等撃退装置を提供することである。
【０００７】
本発明の第３の目的は、猫等の嫌液が殆んどなくなった時には作動しなくなる猫等撃退装置を提供することである。
【０００８】
本発明の他の目的は、明細書、図面、特に、特許請求の範囲の各請求項の記載から、自ずと明らかになろう。
【課題を解決するための手段】
【０００９】
一般に猫等が水等を嫌うことから、猫等が糞をする場所に設置し、猫等の接近を検知し自動的に散水等を行う装置で、これを実現するために次を採用した。赤外線センサーを用いてポンプの動作を制御し、猫等の動物の動きを感知した時にのみ、前記ポンプによって散液を行い、これら装置を一体として防水可能な容器に収納する、という特徴的構成手段を講じた。
【００１０】
さらに、具体的詳細に述べると、当該課題の解決では、本発明が上位概念から下位概念に亙る次に例挙する新規な特徴的構成手段を採用することにより、上記目的を達成するようになされる。
【００１１】
即ち、本発明の第１の特徴は、赤外線センサーと、当該赤外線センサーの赤外線検出によって動作するポンプと、当該ポンプの取液管で取液される嫌液を容れたタンクと、前記ポンプの散液管の先端に連結設置されたスプリンクラーヘッドと、前記赤外線センサー及び前記ポンプを作動させるための電源とで構成され、前記赤外線センサーの検知により前記ポンプを作動させ、前記嫌液を前記スプリンクラーヘッドを通じて検知した猫等に散布してなる、猫等撃退装置の構成採用にある。
【００１２】
本発明の第２の特徴は、上記本発明の第１の特徴における前記スプリンクラーヘッドは、フレーム背側に前記嫌液の水平方向散液角度を調節するための羽根と、回転ノズルの散液口の上部に設置し、仰角への散水を規制し散液範囲を狭めるための羽根と、を設けてなる、猫等撃退装置の構成採用にある。
【００１３】
本発明の第３の特徴は、上記本発明の第１の特徴における前記ポンプは、前記電源と前記嫌液を通して通電接続し、前記タンク内の前記嫌液が散液により一定量以下に減少することで当該電源と前記ポンプが電気的に切断され、前記赤外線センサーの赤外線検出によっても動作しなくなる、猫等撃退装置の構成採用にある。
【００１４】
本発明の第４の特徴は、上記本発明の第３の特徴における前記電源は、前記嫌液の減少を検知して前記ポンプとの電気的切断が起きた場合にランプを発光させる回路素子と接続してなる、猫等撃退装置の構成採用にある。
【００１５】
本発明の第５の特徴は、上記本発明の第１又は２の特徴における前記嫌液は、水そのもの又は刺激物や刺激臭を含んでなる、猫等撃退装置の構成採用にある。
【００１６】
本発明の第６の特徴は、上記本発明の第１、第２又は３の特徴における前記ポンプと前記タンクと前記電源は、防水性のある容器に一体収容してなる、猫等撃退装置の構成採用にある。
【発明の効果】
【００１７】
かくして、本発明装置を電池や蓄電池等の可搬電源を利用するので市販電源との接続とは関係なく庭等に侵入する猫等の獣道の近隣に仕掛けておけば、赤外線センサーは昼夜の区別なく監視を続行し、直前の通過に間髪を入れずポンプを作動してスプリンクラーへッドの回転ノズルからタンク内の嫌液を猫等に目掛けて噴散することが出来るので、素早く走り抜けない限り確実に嫌液を被着されるので、猫等の習性として身体に付いた嫌液を舐めたり、臭いを嗅いだ際、味覚、臭覚に嫌悪する刺激を受け、この体験の学習効果として本発明装置の設置された場所に近付かなくなる為、猫等を排除することが出来る。
【００１８】
従来のこの種のものが雨に弱かったが、本発明装置は防水性容器に収容されているので装置自体の耐久性やタンク内に封入された嫌液の劣化に悪影響を及ぼされることなく、しかもタンク内の嫌液の減少に対しても節電効果を発揮し、ランプを点灯して嫌液の補充を催促するため、常時警戒を怠ることなく万全を期することが出来る等優れた効果を奏する。
【発明を実施するための最良の形態】
【００１９】
本発明の最良の形態を、図を参照しながら説明する。
図１は本発明の実施最良形態例の側面透視図である。αは底部を切除したペットボトル、１はポンプ及び赤外線センサーを動作させるための電源であり、２は赤外線センサー、３は嫌液Ｌを散布するためのポンプ、４は散布される嫌液Ｌを容れるプラスチックタンク、５はスプリンクラーヘッド、６はタンク４天井４ａを貫通して取液口端を底部４ｂ近くまで垂下臨ませた取液管、７は噴液管、８はランプ、９はＮＯＴ論理回路素子、１０はポンプアース電極端子、１１は電源アース電極端子である。これらはペットボトルαの中に収容されている。図中矢印Ａは赤外線センサー２の赤外線感知方向を示している。
【００２０】
スプリンクラーヘッド５は散液管７先端に設置され、散水角度と距離を調節するための羽根がそれぞれ取り付けられており、これについては図２、３を用いて後に説明する。
【００２１】
電源1、赤外線センサー２、ポンプ３を結ぶ線は導線を表している。電源１の陰極又は陽極の一方は赤外線センサー２を介してポンプ３と接続される。電源１の他方の極は直接ポンプ３と接続されることはなく、タンク４天井４ａを貫通して底部４ｂ近くまで嫌液Ｌの中にポンプアース電極端子１０と電源アース電極端子１１として互いに隔離して浸されている。これについては図１を用いて後に説明する。導線については後に図４を用いて説明する。
【００２２】
嫌液Ｌとして水に唐辛子を含むものを採用する。猫は体に付着した嫌液Ｌを舐めるため、本発明で飛散する嫌液Ｌ中に刺激物を含ませることで、本能的に猫の警戒心、恐怖心を一層高めることができる。
【００２３】
また、ペットボトルαの内部に前記部品群を収容する事で、雨風をしのぎやすくし装置の故障発生率を減少させることができるとともに赤外線センサー２の赤外線放出部に対応臨む部位を除き内側が透視不能に外側全体に亙りペンキ等をスプレイ塗装しても良い。
【００２４】
図２はスプリンクラーヘッドの側面図である。２１は飛散距離調節羽根、２２は飛散角度調節羽根、２３は側面略コ形フレーム、２４は嫌液Ｌの放液圧で自転する回転ノズル２５に設けた散液口を表している。
【００２５】
飛散距離調節羽根２１は、折曲角を工夫して散液口２４の上部を覆っており仰角への散液を抑制する事により嫌液Ｌの飛散距離を調節する機能を果たす。本発明装置に接近した猫に嫌液Ｌが掛かるようにする為のものである。
【００２６】
飛散角度調節羽根２２は、スプリンクラーヘッド５のコ形フレーム２３背部内側に設ける事により、後方への嫌液Ｌの飛散を抑制する働きをする。赤外線センサー２の検知は一方向のみなので、後方への飛散を抑え、背後にある物に対し汚れなどを防止する効果がある。飛散角度調節羽根２２は図１のように、前記コ形フレーム２３が赤外線センサー２の検知方向に向いてスプリンクラーヘッド５をペットボトルα細口に取付部材α１で設置固定することで効果を発揮する。
【００２７】
なお、図３は前記スプリンクラーヘッド５の正面図で、図２と同等のものである。図中２６はコ形フレーム２３の下部に貫着する連結管、２７はコ形フレーム２３の上部に垂着した枢支軸である。
【００２８】
図４は本発明の回路図を概略的に表した模式図である。電源１、赤外線センサー２、モーターの記号によるポンプ３、タンク４内の嫌液Ｌとを直列に結線して主回路を形成するとともに、主回路の一部に電源１、ランプ８、ＮＯＴ論理回路素子９を直列に結線して付属回路を形成する。赤外線センサー２はスイッチの役割を果たしていて、猫等の動きを検知するとオンになりそれ以外の時はオフの状態である。嫌液Ｌも同様にスイッチの役割を果たしていて、散液により嫌液Ｌが減少し、嫌液Ｌに浸されたポンプアース電極端子１０と電源アース電極端子１１が嫌液Ｌから完全に露出するとオフの状態になる。
【００２９】
つまり、赤外線センサー２で猫等の動きが感知され且つタンク４に嫌液Ｌが十分に残っていればポンプ３が作動し、嫌液Ｌが散布される事となる。これによって無駄な電力の消費を抑えることができる。さらに、嫌液Ｌの量を感知する付属回路を用い、前記嫌液Ｌが所定の量より減少した場合にランプ８を発光する装置を取り付ける。この場合、利用者はひと目で嫌液Ｌの減少を知ることができるのでペットボトルαの底辺寄り側面に設けた開閉扉α２を開けてタンク４天井４ａの補充口４ｃから別途用意した補充嫌液Ｌを充填する。又嫌液Ｌを充填した新たなタンク４と交換する場合は取液管６、ポンプアース電極端子１０、電源アース電極端子１１はタンク４の天井４ａを貫通してセットし直すことは当然である。
【００３０】
即ち、タンク４に嫌液Ｌがあってポンプアース電極端子１０と電源アース電極端子１１間に電流が導通可能状態において赤外線センサー２が検知動作すれば主回路に電流が流れポンプ３を作動してスプリンクラーヘッド５の散液口２４から勢い良く嫌液Ｌが噴出する放液圧で回転ノズル２５自体が自転しその際飛距離は調節羽根２１に規制された距離範囲を飛散すると同時に飛散角度調節羽根２２にて背後には散液不能とする。嫌液Ｌが一定レベル以下となれば主回路には電流が流れなくなると付属回路のＮＯＴ論理回路素子９が動作し付属回路に電流が流れランプ８を点灯して嫌液Ｌの補充の必要性を知らせる。
【００３１】
ここでペットボトルαを採用したのは、スプリンクラーヘッド５の取付高さが３０ｃｍ以下で一回の噴射量はごく少量で細かい水滴であるから人への害は殆んどなく、庭の人の通らない所に置くことも出来、さらに一般に水を入れて猫除けに使われているので、猫は本能的に本実施最良形態例のペットボトルαを見ると回避しようとするとともに一度嫌液Ｌを掛けられた猫は単なるペットボトルに対しても近付こうとしなくなるためである。
【実施例】
【００３２】
上記最良の実施形態例を用いた実施例を説明する。
ただし、１．５Ｖ乾電池４個又は８個で動作するポンプ３と園芸用の小型のスプリンクラーヘッド５を用い、スプリンクラーヘッド５の飛散距離調節羽根２１は約１．５メートル程度の飛散距離となるように調節した。前記したポンプ３、スプリンクラーヘッド５、飛散距離調節羽根２１は代表例の一つであり、目的を達しうる実施形態がこれらに限定されないことは言うまでもない。
また、図４に概略的に表した構成回路も、同様の動作をするものであれば電源１、赤外線センサー２、ポンプ３、嫌液Ｌとの配線が任意のものであって良いこともあえて言及することを要しない。
【００３３】
又スプリンクラーヘッド５は、園芸用で軽量小型のプラスチック製が好適であるとともにタンク４は充填する嫌液Ｌに対する耐腐食性を有する素材が好適である。
なお、嫌液Ｌとしては、塩素系洗剤液や酢酸液を用いても良いし、単なる水そのものでも体に突然噴射被着されれば触覚的に強い冷感刺激を受ける為驚愕慌てさせるには有効であるとともに、ペットボトルαに限定されず、他の容器内に収容しても良い。
【００３４】
上記の装置を用いて実験を行ったところ、猫は普段ゆっくり歩いているので赤外線センサー２での感知は容易であり、また、散液による追い払い撃退効果も優れたものであることが判明した。猫は散液のみでなくポンプ３の動作音にも警戒心を抱くようで、家に寄り付かなくなった。またペットボトルαを用いており、場所を取らず、雨にも強く、廃物リサイクル利用により省資源化を果す。なお、猫に限らず犬、ネズミ、イタチ、ニワトリ、カラス等の小動物等撃退防除に適用可能なことは言うまでもない。
【図面の簡単な説明】
【００３５】
【図１】本発明の実施最良形態例の概略的な透視側面図である。
【図２】同上に使用するスプリンクラーヘッドの拡大側面図である。
【図３】同上に使用するスプリンクラーヘッドの拡大正面図である。
【図４】同上の概略的な回路模式図である。
【符号の説明】
【００３６】
１…電源
２…赤外線センサー
３…ポンプ
４…タンク
４ａ…天井
４ｂ…底部
４ｃ…補充口
５…スプリンクラーヘッド
６…取液管
７…噴液管
８…ランプ
９…ＮＯＴ論理回路素子
１０…ポンプアース電極端子
１１…電源アース電極端子
２１…飛散距離調節羽根
２２…飛散角度調節羽根
２３…側面略コ形フレーム
２４…散液口
２５…回転ノズル
２６…連結管
２７…枢支軸
α…ペットボトル
α１…取付部材
α２…開閉扉
Ａ…赤外線センサーの検知方向を表す矢印
Ｌ…嫌液
【図１】
2007037457.tif 000003
【図２】
2007037457.tif 000004
【図３】
2007037457.tif 000005
【図４】
2007037457.tif 000006